(57)【要約】【課題】本発明は、キャップが開口部を閉塞した際の筐体に対するキャップの取り付け状態を容易に調節することが可能な携帯電子機器を提供することを目的とする。【解決手段】携帯電話機１は、開口部２０が形成された操作部側筐体２と、開口部２０を閉塞するキャップ１６と、操作部側筐体２の内部に配置される第２回路基板ホルダ６０と、操作部側筐体２の内部において第２回路基板ホルダ６０を変位させるネジ６５と、を備え、第２回路基板ホルダ６０は、キャップ１６が操作部側筐体２に取り付けられて開口部２０を閉塞したときにキャップ１６と当接する当接部６２ａを有し、ネジ６５は、操作部側筐体２の内部において第２回路基板ホルダ６０を変位させることで当接部６２ａのキャップ１６との当接状態を変更可能に構成されることを特徴とする。【選択図】図４
2010277750.tif 000002
【特許請求の範囲】
【請求項１】
開口部が形成された筐体と、
前記開口部を閉塞するキャップと、
前記筐体の内部に配置される内部部材と、
前記筐体の内部において前記内部部材を変位させる変位部材と、を備え、
前記内部部材は、前記キャップが前記筐体に取り付けられて前記開口部を閉塞したときに前記キャップと当接する当接部を有し、
前記変位部材は、前記筐体の内部において前記内部部材を変位させることで前記当接部の前記キャップとの当接状態を変更可能に構成される、ことを特徴とする携帯電子機器。
【請求項２】
前記変位部材は、前記内部部材を前記筐体内に取り付ける取付部材を有し、
前記内部部材は、前記取付部材による前記筐体内への取り付け状態に応じて変位される、ことを特徴とする請求項１に記載の携帯電子機器。
【請求項３】
前記内部部材は、弾性変形可能に構成され、
前記変位部材により前記内部部材が弾性変形されて変位されるのに伴って前記当接部と前記キャップとの当接状態が変更される、ことを特徴とする請求項１または請求項２に記載の携帯電子機器。
【請求項４】
前記筐体の内部で固定される回路基板と、
前記回路基板に設けられ、前記開口部を介して前記筐体の外部に露出されるコネクタと、を有し、
前記内部部材は、前記コネクタに当接した状態で前記変位部材により変位されるのに伴って弾性変形する、ことを特徴とする請求項３に記載の携帯電子機器。
【発明の詳細な説明】
【技術分野】
【０００１】
本発明は、携帯電話機等の携帯電子機器に関する。
【背景技術】
【０００２】
従来、筐体に形成された開口部を閉塞するキャップを備えた携帯電子機器が知られている（例えば、特許文献１）。特許文献１には、筐体に取り付けられて開口部を閉塞するキャップを備えた携帯電子機器が開示されている。
【先行技術文献】
【特許文献】
【０００３】
【特許文献１】特開２００１−２５０６２９号公報
【発明の概要】
【発明が解決しようとする課題】
【０００４】
しかし、特許文献１に記載されている技術では、筐体に形成された開口部の寸法が決まっているため、キャップが開口部を閉塞した際の筐体に対するキャップの取り付け状態を調節することが困難であるという課題があった。
本発明は上記のような課題に鑑みてなされたもので、キャップが開口部を閉塞した際の筐体に対するキャップの取り付け状態を容易に調節することが可能な携帯電子機器を提供することを目的とする。
【課題を解決するための手段】
【０００５】
上記課題を解決するために、本発明に係る携帯電子機器の代表的な構成は、開口部が形成された筐体と、前記開口部を閉塞するキャップと、前記筐体の内部に配置される内部部材と、前記筐体の内部において前記内部部材を変位させる変位部材と、を備え、前記内部部材は、前記キャップが前記筐体に取り付けられて前記開口部を閉塞したときに前記キャップと当接する当接部を有し、前記変位部材は、前記筐体の内部において前記内部部材を変位させることで前記当接部の前記キャップとの当接状態を変更可能に構成されることを特徴とする。
【０００６】
また、前記変位部材は、前記内部部材を前記筐体内に取り付ける取付部材を有し、前記内部部材は、前記取付部材による前記筐体内への取り付け状態に応じて変位されることが好ましい。
【０００７】
また、前記内部部材は、弾性変形可能に構成され、前記変位部材により前記内部部材が弾性変形されて変位されるのに伴って前記当接部と前記キャップとの当接状態が変更されることが好ましい。
【０００８】
また、前記筐体の内部で固定される回路基板と、前記回路基板に設けられ、前記開口部を介して前記筐体の外部に露出されるコネクタと、を有し、前記内部部材は、前記コネクタに当接した状態で前記変位部材により変位されるのに伴って弾性変形することが好ましい。
【発明の効果】
【０００９】
本発明によれば、キャップが開口部を閉塞した際の筐体に対するキャップの取り付け状態を容易に調節することが可能な携帯電子機器を提供することができる。
【図面の簡単な説明】
【００１０】
【図１】携帯電話機１を開いた状態における外観を示す斜視図である。
【図２】操作部側筐体２に内蔵される部材の分解斜視図である。
【図３】操作部側筐体２にキャップ１６が取り付けられた状態を示す断面斜視図である。
【図４】操作部側筐体２にキャップ１６が取り付けられた状態を図３における矢印Ｐ方向から見た断面図である。
【図５】第２回路基板ホルダ６０を示す斜視図である。
【図６】本発明の本実施形態における作用の説明図である。
【発明を実施するための形態】
【００１１】
以下、図面を参照して本発明を実施するための最良の形態を説明する。図１は、本実施形態における携帯電子機器としての携帯電話機１を開いた状態における外観を示す斜視図である。
【００１２】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）にすることができる。ここで、閉状態とは、両筐体が互いに重なるように配置された状態であり、開状態とは、両筐体が互いに重ならないように配置された状態をいう。
【００１３】
操作部側筐体２は、操作キー群１１と、携帯電話機１の使用者が通話時に発した音声が入力される音声入力部１２とを備える。
【００１４】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１５】
音声入力部１２は、操作部側筐体２の長手方向における連結部４側と反対の外端部側に配置される。つまり、音声入力部１２は、携帯電話機１が開状態において一方の外端部側に配置される。
表示部側筐体３は、各種情報を表示するための表示部３１と、通話の相手側の音声を出力する音声出力部３２とを備える。ここで、表示部３１は、液晶パネルと、この液晶パネルを駆動する駆動回路と、この液晶パネルの背面側から光を照射するバックライト等の光源部とから構成される。
【００１６】
次に、図２から図４により、操作部側筐体２の内部構造について説明する。図２は、操作部側筐体２に内蔵される部材の分解斜視図である。図３は、操作部側筐体２にキャップ１６が取り付けられた状態を示す断面斜視図である。図４は、操作部側筐体２にキャップ１６が取り付けられた状態を図３における矢印Ｐ方向から見た断面図である。
【００１７】
図２に示すように、操作部側筐体２は、フロントケース２ａと、シールドケース４０と、携帯電話機用のＲＦ（Ｒａｄｉｏ  Ｆｒｅｑｕｅｎｃｙ）モジュール等の各種電子部品を備える第１回路基板５０および第２回路基板８０と、第２回路基板８０を保持する第２回路基板ホルダ６０と、携帯電話機１と充電器やＳＤカード等の外部機器とを接続するためのコネクタ７０と、リアケース２ｂを備える。
【００１８】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部およびキー基板と、シールドケース４０と、第１回路基板５０と、内部部材としての第２回路基板ホルダ６０と、コネクタ７０と、第２回路基板８０と、不図示のバッテリが挟まれるようにして内蔵される。
また、図２に示すように、操作部側筐体２の側面２ｓには、開口部２０が形成されている。この開口部２０はコネクタ７０を外部に露出させるためのものであり、コネクタ７０を使用しない際には図１に示すように操作部側筐体２に着脱されるキャップ１６によって閉じられている。
【００１９】
フロントケース２ａにおいて開口部２０を形成する１つの縁部２０ａには、キャップ１６に設けられた係合部としての突起１６ａが係合する被係合部としての凹部２１ｂが形成されている。
【００２０】
キャップ１６は、操作部側筐体２に対する着脱により開口部２０を開閉可能に構成される。キャップ１６には係合部としての突起１６ａと切り欠き１６ｂが形成されており、キャップ１６が開口部２０を閉じたときに、突起１６ａはフロントケース２ａに形成された被係合部としての凹部２１ｂに係合し、切り欠き１６ｂには後述の第２回路基板ホルダ６０の延設部６２における当接部６２ａが当接する。
【００２１】
シールドケース４０は、操作部側筐体２の内部に固定された状態で配置されている。シールドケース４０は導電性部材によって形成されており、リブ４１を有して構成される。リブ４１が第1回路基板５０に当接し第１回路基板５０に配置される各種電子部品（不図示）や回路（不図示）を囲むことで、外部からの高周波等のノイズが各種電子部品や回路に及ぼす影響を低減する。また、リブ４１にはネジ挿通穴４１ａが形成されており、後述の変位部材および取付部材としてのネジ６５がネジ挿通穴４１ａに螺合されることでシールドケース４０と第２回路基板ホルダ６０とが締結される。
第１回路基板５０には、不図示の各種電子部品が配置される。各種電子部品は、所定の組み合わせにより、例えばＲＦ（Ｒａｄｉｏ  Ｆｒｅｑｕｅｎｃｙ）回路、電源回路等を含む各種ブロック回路等を形成する。また、第1回路基板５０にはコネクタ７０が接続されている。
【００２２】
第２回路基板ホルダ６０は、弾性を有する樹脂で構成されており、第２回路基板ホルダ６０は、本体部６１と本体部６１からリアケース２ｂにおいて開口部２０を形成する縁部２０ｂまで延設される延設部６２とを有する。本体部６１にはネジ挿通穴６１ａが形成されており、ネジ６５がネジ挿通穴４１ａおよびこのネジ挿通穴６１ａに螺合されることで第２回路基板ホルダ６０とシールドケース４０とが締結される。延設部６２において開口部２０の凹部２１ｂが形成された面と対向する当接部６２ａは、キャップ１６が操作部側筐体２に取り付けられて開口部２０を閉じている状態でキャップ１６の切り欠き１６ｂと当接する。
【００２３】
コネクタ７０には、充電器の端子やＳＤカード等の外部機器が挿入される。コネクタ７０は、第１回路基板５０に接続されており、開口部２０を介して外部に露出する位置に配置される。また、第１回路基板５０および第２回路基板ホルダ６０の延設部６２と当接している。
【００２４】
第２回路基板８０には、第１回路基板５０と同様に不図示の各種電子部品が配置され、各種電子部品は、所定の組み合わせによりＲＦ回路等を形成する。
【００２５】
次に、図５により、第２回路基板ホルダ６０単体について説明する。図５は、第２回路基板ホルダ６０を示す斜視図である。延設部６２は、本体部６１から独立した構造になっており、当接部６２ａが弾性変形しても他の部材と当接する本体部６１には影響が出ないようにしている。
【００２６】
以上の構成を有する携帯電話機１によれば、操作部側筐体２とキャップ１６の係合の度合いを調節することができる。ここで、図６により、本発明の本実施形態における作用について説明する。図６においては、図３に示す操作部側筐体２に内蔵される部材のうち第２回路基板ホルダ６０、コネクタ７０およびキャップ１６を抜粋して示す。
【００２７】
図６に示すように、シールドケース４０と第２回路基板ホルダ６０を締結するためにネジ６５を矢印Ａの方向に回転させると、それに伴い第２回路基板ホルダ６０は矢印Ｃの方向へ変位する。このとき、延設部６２には操作部側筐体２の内部で固定された第１回路基板５０に設けられたコネクタ７０が当接しているため、第２回路基板ホルダ６０が矢印Ｃの方向に変位するとコネクタ７０におけるネジ挿通穴６１ａ側の端部と延設部６２とが当接する点Ｑが支点となり、延設部６２の当接部６２ａは弾性力により矢印Ｅの方向に変位する。これに伴い、当接部６２ａに当接しているキャップ１６もまた矢印Ｅの方向に変位する。
【００２８】
これに対して、ネジ６５を矢印Ｂの方向に回転させるとそれに伴い第２回路基板ホルダ６０は矢印Ｄの方向に変位する。このとき延設部６２の当接部６２ａは上述の点Ｑを支点として矢印Ｆの方向に変位し、キャップ１６もまた矢印Ｆの方向に変位する。これにより、キャップ１６の突起１６ａとフロントケース２ａにおける凹部２１ｂとの係合が確保される。
【００２９】
以上のような操作を行うことで、操作部側筐体２に対するキャップ１６の係合の度合い、すなわち取り付け状態を調節することができる。すなわち、キャップ１６が操作部側筐体２から外れてしまうような場合にはネジ６５を緩める方向、つまり矢印Ｂの方向に回転させ、逆に取り付けにくい場合にはネジ６５を締める方向、つまり矢印Ａの方向に回転させれば、操作部側筐体２に対するキャップ１６の適切な係合の度合いを容易に得ることができる。その結果、開口部２０の寸法に合うキャップを何度も試作する必要がなくなり、工程数の増加やそれに伴う製造コストの増加を抑制することができる。
【００３０】
また、コネクタ７０は、第２回路基板ホルダ６０の延設部６２と当接している。これにより、携帯電話機１に対してリアケース２ｂ側から（図６の矢印Ｃの方向に）外力が加わった場合や、コネクタ７０に充電器の端子等を接続した状態で端子がねじれる方向に外力が加わった場合でも、コネクタ７０に加わる外力を低減することができる。そして、開口部２０の近傍の点Ｑを支点として延設部６２が弾性変形するので、第２回路基板ホルダ６０の変位に伴うキャップ１６の取り付け状態の調節を微細に行うことが可能となる。
【００３１】
ここで、本実施形態においては、キャップ１６の係合の度合いを変化させるには第２回路基板ホルダ６０が微小に変位すればよいため、この微小な変位によって他の部材に影響が及ぶことはない。
【００３２】
以上、好適な実施形態について説明したが、本発明は本実施形態に限定されることなく種々の形態で実施することができる。例えば、本実施形態においては、携帯電子機器を携帯電話機１として説明しているが、本発明はこれに限定されず、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ノートパソコン、デジタルカメラ等であってもよい。
【００３３】
また、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合わせ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００３４】
また、本実施形態においては、操作部側筐体２に開口部２０が形成されているが、本発明はこれに限定されず、表示部側筐体３に開口部２０が形成されていてもよい。
【００３５】
また、本実施形態においては、フロントケース２ａとリアケース２ｂがそれぞれ開口部２０の縁部２０ａと２０ｂを有しているが、本発明はこれに限定されず、フロントケース２ａおよびリアケース２ｂのいずれか一方に開口部２０が形成されていてもよい。
【００３６】
また、本実施形態においては、内部部材を第２回路基板ホルダ６０とし、第２回路基板ホルダ６０に延設部６２を設けているが、本発明はこれに限定されず、例えばシールドケース４０を開口部２０の縁部２０ａまたは２０ｂまで延設してキャップ１６に当接させる構成にしてもよい。
【００３７】
また、本実施形態においては、弾性による撓みで操作部側筐体２とキャップ１６の係合の度合いを調節しているが、本発明はこれに限定されず、キャップ１６に当接する当接部６２ａの位置がネジ６５の回転に伴い変化するような機構であればよい。
【００３８】
また、本実施形態においては、変位部材が取付部材そのものであるとし、それをネジ６５として説明を行っているが、本発明はこれに限定されず、内部部材を変位させるものであればよく、例えばシールドケース４０に対する第２回路基板ホルダ６０の位置を変化させて固定するピン等であってもよい。また、変位部材の一部が取付部材である構成や、内部部材が変位に寄与する構成であってもよい。
【００３９】
また、本実施形態においては、第２回路基板ホルダ６０は全体が弾性を有する樹脂により形成されているが、本発明はこれに限定されず、少なくとも延設部６２が弾性を有していればよい。また、弾性変形する材質であれば他の材質であってもよい。
【符号の説明】
【００４０】
１     携帯電話機（携帯電子機器）
２     操作部側筐体（筐体）
３     表示部側筐体
１６   キャップ
２０   開口部
２０ｂ 縁部
４０   シールドケース
５０   第１回路基板
６０   第２回路基板ホルダ（内部部材）
６１   本体部
６２   延設部
６２ａ 当接部
６５   ネジ（変位部材、取付部材）
７０   コネクタ
８０   第２回路基板
【図１】
2010277750.tif 000003
【図２】
2010277750.tif 000004
【図３】
2010277750.tif 000005
【図４】
2010277750.tif 000006
【図５】
2010277750.tif 000007
【図６】
2010277750.tif 000008